(57)【要約】【課題】防水端子カバーを簡単な構成で製造しやすく且つ高い防水性を有するものにする。【解決手段】防水端子カバー１０に、弾性部材よりなり、開口部３ａに圧入されて開口部３ａを密閉状に塞ぐ突起状栓部１１ａ及び開口部３ａの周縁に当接する鍔部１１ｂを備えるシール部１１と、シール部１１よりも剛性の高い材料によってシール部１１と一体成形され、シール部１１を覆って外観を構成する本体部１２と、本体部１２から一体に延び、正面側キャビネット３に係止されて抜け止めする延長鉤部１３とを設ける。【選択図】図１
2014137849.tif 000002
【特許請求の範囲】
【請求項１】
筐体に形成した該筐体内部の接続端子を露出させる、開口部を開閉する防水端子カバーであって、
弾性部材よりなり、上記開口部に圧入されて該開口部を密閉状に塞ぐ突起状栓部及び該開口部周縁に当接する鍔部を備えるシール部と、
上記シール部よりも剛性の高い材料によって該シール部と一体成形され、該シール部を覆って外観を構成する本体部と、
上記本体部から一体に延び、上記筐体に係止されて抜け止めする延長鉤部とを備えている
ことを特徴とする防水端子カバー。
【請求項２】
請求項１に記載の防水端子カバーにおいて、
上記シール部は、上記本体部中央に設けた貫通孔から外観に露出する露出部を有する
ことを特徴とする防水端子カバー。
【請求項３】
請求項２に記載の端子カバーにおいて、
上記本体部は、一方に長細い形状を有し、
上記露出部は、上記本体部の長手方向に沿って直線状に露出している
ことを特徴とする端子カバー。
【請求項４】
請求項２又は３に記載の端子カバーにおいて、
上記貫通孔は、外側に向かって内径が大きくなり、該貫通孔内に上記シール部が成形時に充填されている
ことを特徴とする端子カバー。
【請求項５】
上記開口部を有する筐体と、
上記開口部内に配置される接続端子と、
上記開口部を開閉する請求項１から４のいずれか１つに記載の端子カバーとを備えている
ことを特徴とする携帯端末。
【発明の詳細な説明】
【技術分野】
【０００１】
本発明は、防水端子カバー及びそれを備えた携帯端末に関するものである。
【背景技術】
【０００２】
従来より、ハウジングの開口部を開閉する防水機能付蓋部材は知られている（例えば、特許文献１参照）。この蓋部材は、蓋部材の樹脂材製本体の一方の面に一体的に形成された開口部内に収まる突起部と、この突起部の外周面に一体形成され、開口部の周面と密接する環状突起部と、この環状突起部から外周面の本体との接合部近傍まで伸びる補強部とを備えたゴム状弾性材製のシール部と、補強部の外周面側に密接して存在する本体側に一体的に形成された熱可塑性エラストマー材製の保持部とを備えている。
【０００３】
また、従来より、シール部内にステンレス補強材をインサート成形してシール部の剛性を確保して防水性を高めることが知られている。
【先行技術文献】
【特許文献】
【０００４】
【特許文献１】特開２０１２−１２４０７５号公報
【発明の概要】
【発明が解決しようとする課題】
【０００５】
しかしながら、従来の防水機能付蓋部材では、剛性を必要とする樹脂材製本体と、柔軟性を必要とする環状突起部及び補強部を有するシール部と、柔軟性及び剛性を必要とする熱可塑性エラストマー材の保持部との少なくとも３種類の材料からなる。また、ステンレス補強材をインサート成形する場合も材料が増える。材料が増えれば増えるほど製造工程が複雑となるという問題がある。
【０００６】
本発明は、かかる点に鑑みてなされたものであり、その目的とするところは、防水端子カバーを簡単な構成で製造しやすく且つ防水性の高いものとすることにある。
【課題を解決するための手段】
【０００７】
上記の目的を達成するために、この発明では、弾性部材よりなるシール部をそれよりも剛性の高い本体部に一体成形した。
【０００８】
具体的には、第１の発明では、
筐体に形成した該筐体内部の接続端子を露出させる、開口部を開閉する防水端子カバーであって、
弾性部材よりなり、上記開口部に圧入されて該開口部を密閉状に塞ぐ突起状栓部及び該開口部周縁に当接する鍔部を備えるシール部と、
上記シール部よりも剛性の高い材料によって該シール部と一体成形され、該シール部を覆って外観を構成する本体部と、
上記本体部から一体に延び、上記筐体に係止されて抜け止めする延長鉤部とを備えている。
【０００９】
上記の構成によると、剛性の高い本体部と、柔軟性の高いシール部とが一体成形されているので、２種類の材料で剛性と柔軟性とを兼ね備える。このため、防水性が確保され、従来のようにステンレス部材をインサート成形する必要はない。
【発明の効果】
【００１０】
以上説明したように、本発明によれば、開口部に圧入されて開口部を密閉状に塞ぐ突起状栓部及び開口部周縁に当接する鍔部を備える弾性部材よりなるシール部を、このシール部よりも剛性の高い材料よりなり、外観を形成する本体部と一体成形したことにより、簡単な構成で製造しやすく且つ防水性を高めることができる。
【図面の簡単な説明】
【００１１】
【図１】図２（ａ）のＩ−Ｉ線拡大断面図である。
【図２】本発明の実施形態に係る携帯電話機を示し、（ａ）が正面から見た斜視図で、（ｂ）が背面から見た斜視図である。
【図３】図２（ａ）のIII−III線拡大断面図である。
【図４】防水端子カバーを示し、（ａ）が背面から見た斜視図で、（ｂ）が正面から見た斜視図である。
【図５】防水端子カバーを示し、（ａ）が側面図で、（ｂ）が背面図である。
【発明を実施するための形態】
【００１２】
以下、本発明の実施形態を図面に基づいて説明する。
【００１３】
図２は、本発明の実施形態に係る携帯端末としての携帯電話機１を示し、（ａ）が正面から見た斜視図で、（ｂ）が背面から見た斜視図である。図１は、図２（ａ）のＩ−Ｉ線拡大断面図であり、図３は、図１（ａ）のIII−III線拡大断面図である。この携帯電話機１は、例えば正面側に表示部２を収容する、筐体としての正面側キャビネット３を有する。この正面側キャビネット３には、背面側キャビネット４が結合され、その背面側がリアカバー５で覆われている。正面側キャビネット３と背面側キャビネット４との間には、回路基板６が配置され、その回路基板６の下端側には、接続端子７が配置されている。
【００１４】
正面側キャビネット３の下端には、接続端子７に対応する位置に左右に長い長円形状の開口部３ａが設けられている。この開口部３ａの周りは、周囲よりも一段低くなった矩形状のザグリ３ｂが形成され、これら開口部３ａ及びザグリ３ｂが防水端子カバー１０で密閉状に覆われている。ザグリ３ｂの左右一方には、左右に延びて入口側に抜け止めを有する第１被係合穴３ｃが設けられている。また、ザグリ３ｂの左右他方には、第１被係合穴３ｃよりも浅く、同様に抜け止めを有する第２被係合穴３ｄが形成されている。
【００１５】
図４は、防水端子カバー１０を示し、（ａ）が背面から見た斜視図で、（ｂ）が正面から見た斜視図である。図５は、防水端子カバー１０を示し、（ａ）が側面図で、（ｂ）が背面図である。防水端子カバー１０は、接続端子７を露出させる開口部３ａを開閉するものであり、弾性部材としての例えばシリコンゴムよりなるシール部１１を備えている。シール部１１は、開口部３ａに圧入され、この開口部３ａを密閉状に塞ぐ左右に長い断面長円形状の突起状栓部１１ａと、開口部３ａ周縁のザグリに当接する矩形状の鍔部１１ｂとを備えている。
【００１６】
防水端子カバー１０は、シール部１１よりも剛性の高い、例えばＰＣ（ポリカーボネイト）よりなる本体部１２がシール部１１と一体成形されている。なお、本体部１２を従来のように柔軟性も備えるエラストマーで構成してもよい。この本体部１２は、シール部１１を覆って外観を構成している。本体部１２の左右一方からは、第１被係合穴３ｃに係止されて抜け止めする延長鉤部１３が延びている。延長鉤部１３の先端にカエリ１３ａが形成されている。表側の少なくともカエリ１３ａ部分は、剛性の高いＰＣで形成され、裏側はシリコンゴムで形成されている。また、本体部の左右他方には、第２被係合穴３ｄに係合する係合爪１４が形成されている。係合爪１４も、表側の少なくともカエリ１４ａ側が樹脂で形成され、内側がシリコンゴムで形成されている。
【００１７】
本体部１２の中央には、左右に長い貫通孔１２ａが形成されている。この貫通孔１２ａからシール部１１の露出部１１ｃが左右方向に直線状に露出している。露出部１１ｃは、その幅方向中央が低くなるように断面円弧状に凹陥されて外観がよくなっている。貫通孔１２ａは、外側に向かって内径が大きくなるように内面が傾斜している。防水端子カバー１０を開くときには、このカエリ１４ａ部分をつまみ上げ、延長鉤部１３側に向かって引き上げると外れるようになっている。
【００１８】
シール部１１は、延長鉤部１３及び係合爪１４を含む予め成形された本体部１２を成形型に嵌め込んで溶融したシリコンゴムを流し込むことで、本体部１２とシール部１１とが密着した状態で一体成形される。貫通孔１２ａ内には、シール部１１が成形時に充填される。
【００１９】
本実施形態に係る携帯電話機１は、上記のように構成することにより、以下の効果がある。
【００２０】
（１）剛性の高い本体部１２と、柔軟性のあるシール部１１とが一体成形されているので、２種類の材料で剛性と柔軟性とを兼ね備える。つまり、剛性の高い本体部１２で剛性を保ちながら、柔軟性のあるシール部１１を確実に押さえ付けることにより、十分な防水性が発揮される。このため、従来のようにステンレス部材をインサート成形する必要もない。さらに、延長鉤部１３が樹脂だけでなく、シリコンゴムも含むので、延長鉤部１３及び係合爪１４を含め本体部１２を必ずしも柔軟性を兼ね備えるエラストマーでなくても、ＰＣ等の樹脂成形品で構成することができる。
【００２１】
（２）シール部１１に本体部１２中央に設けた貫通孔１２ａから外観に露出する露出部１１ｃを設けたことにより、弾性部材よりなる突起状栓部１１ａが本体部１２の貫通孔１２ａまで延びるので、開閉の際に本体部１２とシール部１１との剥離が確実に防止される。
【００２２】
（３）本体部１２が一方に長細い形状を有し、露出部１１ｃを本体部１２の長手方向に沿って直線状に露出させたことにより、シール部１１の剥離強度をさらに高めると共に、長手方向の一方から突起状栓部１１ａを剥がすようにすればよいので、取り外し作業がしやすくなる。
【００２３】
（４）貫通孔１２ａを外側に向かって内径を大きくし、この貫通孔１２ａ内にシール部１１を成形時に充填したことにより、シール部１１の剥離強度がさらに向上する。
【００２４】
（５）開口部３ａを有する正面側キャビネット３と、開口部３ａ内に配置される接続端子７と、防水端子カバー１０とを設けたことにより、簡単な構成で低コストの防水端子カバー１０を有する携帯電話機が得られる。
【００２５】
したがって、本実施形態によると、携帯電話機１を簡単な構成で製造しやすく且つ防水性を高めたものとすることができる。
【００２６】
（その他の実施形態）
本発明は、上記実施形態について、以下のような構成としてもよい。
【００２７】
すなわち、上記実施形態では、携帯電話機１は、ストレートタイプのものとしたが、第１の筐体と第２の筐体とが折畳み開閉可能に連結された折畳み式携帯電話機や、第１の筐体が第２の筐体に対してスライド移動可能に連結されたスライド式携帯電話機でもよい。この場合でも、開口部３ａが形成される筐体及びこの開口部３ａを覆う防水端子カバー１０に本発明を適用すればよい。
【００２８】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３０】
１      携帯電話機（携帯端末）
２      表示部
３      正面側キャビネット（筐体）
３ａ    開口部
３ｂ    ザグリ
３ｃ    第１被係合穴
３ｄ    第２被係合穴
４      背面側キャビネット
５      リアカバー
６      回路基板
７      接続端子
１０      防水端子カバー
１１      シール部
１１ａ    突起状栓部
１１ｂ    鍔部
１１ｃ    露出部
１２      本体部
１２ａ    貫通孔
１３      延長鉤部
１３ａ    カエリ
１４      係合爪
１４ａ    カエリ
【図１】
2014137849.tif 000003
【図２】
2014137849.tif 000004
【図３】
2014137849.tif 000005
【図４】
2014137849.tif 000006
【図５】
2014137849.tif 000007